(57)【要約】【課題】規格化されたパネルで施工を簡単にして、工事費用を節減することができながらも、床全体が均一に加熱されることができるようにするとともに、小容量のボイラーでも高いエネルギー效率を得ることができるようにして、暖房費用を節減させることができる床暖房用パネルを提供すること。【解決手段】四角形の平面を有する床暖房用パネルで、四角形の辺に沿って延長される複数の入出水管配置溝と；２つの入出水管配置溝を連結する分岐管配置溝と；何れか一つの入出水管配置溝と他の一つの入出水管配置溝が接触する部分に具備される角部とを含み、前記角部は、４つの角開口部を含むが、２つの角開口部は前記入出水管配置溝を向けて開口されるように形成され、他の２つの角開口部はパネルの外側を向けて開口されるように形成され、前記入出水管配置溝には２つの入出水管が平行に配置されることができることを特徴とする床暖房用パネル。
2015520348.tif 000002
【特許請求の範囲】
【請求項１】
四角形の平面を有する床暖房用パネルにおいて、
四角形の辺に沿って延長される複数の入出水管配置溝と；
２つの入出水管配置溝を連結する分岐管配置溝と；
何れか一つの入出水管配置溝と他の一つの入出水管配置溝が接触する部分に形成される角部とを含み、
前記角部は、４つの角開口部を含み、
２つの角開口部は前記入出水管配置溝を向けて開口されるように形成され、
他の２つの角開口部はパネルの外側を向けて開口されるように形成され、
前記入出水管配置溝には２つの入出水管が平行に配置されることができる、床暖房用パネル。
【請求項２】
前記入出水管配置溝の中央で上部に突出されて、前記入出水管配置溝を長手方向に沿って延長される２つの領域に区画する中間壁をさらに含む、請求項１に記載の床暖房用パネル。
【請求項３】
前記角部の中央には下部から上部に中央ピンが突出される、請求項１に記載の床暖房用パネル。
【請求項４】
パネルの角の上下方向の中間一部が切開された、請求項１に記載の床暖房用パネル。
【請求項５】
床スラブと、前記床スラブの辺縁に沿って延長される入出水管配置溝と、互いに反対方向に配置される２つの入出水管配置溝を連結する分岐管配置溝とを含む複数の床暖房用パネルと；
前記入出水管配置溝に配置される入出水管と；
前記分岐管配置溝に配置される分岐管とを含み、
前記入出水管配置溝の一部には、２つの入出水管が平行に配置され、
前記入出水管は、
前記分岐管に連結されて、前記入出水管が設置されたパネルに温水を流入させる流入入出水管と、
前記分岐管に連結されて、前記入出水管が設置されたパネルから温水を排出する排出入出水管と、
前記分岐管に連結されない伝達入出水管とを含み、
前記伝達入出水管は、何れか一つの入出水管配置溝に前記流入入出水管または前記排出入出水管と平行に配置される、床暖房用パネルアセンブリー。
【請求項６】
前記床暖房用パネルは、第１パネルと、第２パネルと、第３パネルと、第４パネルとを含み、
前記第１パネルには、
外部から流入された温水が通過する第１入出水管と；
外部から流入された温水を通過させて前記第３パネル側に供給する第２入出水管と；
前記第１入出水管の対向側に配置されて、温水を前記第２パネル側に供給する第３入出水管と；
前記第１入出水管と前記第３入出水管とを連結して、第１入出水管に流入される温水が第１パネルの内側を循環した後、第３入出水管に供給されるようにする第１分岐管と；
前記第２入出水管と平行に配置されて、温水を外部へ排出する第４入出水管とが配置され、
前記第２パネルには、
前記第１入出水管側から温水が供給される第５入出水管と；
前記第５入出水管の反対側に設置される第６入出水管と；
前記第５入出水管と第６入出水管とを連結して、前記第５入出水管に流入される温水が第２パネルの内側を循環した後、前記第６入出水管に供給されるようにする第２分岐管とが配置され、
前記第３パネルには、
前記第２入出水管側から温水が供給される第７入出水管と；
前記第７入出水管の反対側に配置される第８入出水管と；
前記第７入出水管と前記第８入出水管とを連結して、前記第７入出水管に流入される温水が前記第３パネルを循環して、前記第８入出水管に供給されるようにする第３分岐管と；
前記第４入出水管側へ温水を排出する第９入出水管と；
前記第８入出水管と平行に配置されて、前記第９入出水管に温水を排出する第１０入出水管とが配置され、
前記第４パネルには、
前記第７入出水管側から温水が供給される第１１入出水管と；
前記第１１入出水管の対向側に配置されて、第８入出水管に連結される第１２入出水管と；
前記第１１入出水管と前記第１２入出水管とを連結して、前記第１１入出水管に流入される温水が前記第４パネルを循環して、前記第１２入出水管に供給されるようにする第４分岐管と；
前記第６入出水管側から温水が流入される第１３入出水管と；
前記第１２入出水管と前記第１３入出水管から温水が流入されて、前記第１０入出水管側に排出する第１４入出水管とが配置される、請求項５に記載の床暖房用パネルアセンブリー。
【請求項７】
前記第１パネルと前記第２パネルとの間には、
それぞれ前記第１入出水管と第５入出水管との間、第３入出水管と第６入出水管との間に位置する２つの入出水管と、
前記２つの入出水管の間を連結する１つの分岐管とを有するパネルが一つ以上挿入されることができる、請求項６に記載の床暖房用パネルアセンブリー。
【請求項８】
前記第３パネルと前記第４パネルとの間には、
それぞれ前記第７入出水管（２０８）と第１１入出水管（２１２）との間、第８入出水管（２０９）と第１２入出水管（２１３）との間に位置する２つの入出水管と、
前記２つの入出水管の間を連結する分岐管と、
前記第１４入出水管（２１５）と第１０入出水管（２１１）との間に位置する入出水管とを具備するパネルが一つ以上挿入されることができる、請求項７に記載の床暖房用パネルアセンブリー。
【請求項９】
前記第１パネルと前記第３パネルとの間には、
前記第２入出水管を通過した温水が供給される２つの入出水管と、
前記２つの入出水管の中の何れか一つに一端が連結される分岐管と、
前記分岐管の他端が連結される入出水管とが具備されるパネルが一つ以上挿入されることができる、請求項６に記載の床暖房用パネルアセンブリー。
【発明の詳細な説明】
【技術分野】
【０００１】
本発明は床暖房用パネル及び床暖房用パネルアセンブリーに関するものである。
【背景技術】
【０００２】
従来の温水を利用した床暖房システムは、金属または合成樹脂素材の配管を床に埋設して、室内または室外に設置されたボイラーを通じて熱源を発生させて温水を加熱し、加熱された温水が配管を通じて流れて、暖房を必要とする部屋や居間などの室内に熱エネルギーを伝達する方法を用いている。
【０００３】
このような従来の床暖房用配管設置方法の一つとして、ＰＶＣパイプを床に埋設し、上記パイプの上にコンクリートを施工して、温水によって床のコンクリートが暖められるようにする方式がある。
【０００４】
しかし、このような方式は、漏水が発生する場合、漏水部位を正確に捜すことが難しく、漏水部位を捜しても修理が簡単でなく、工事費用がたくさんかかるという問題がある。
【０００５】
このような問題を解決するために、図１に示すように、床に複数の暖房用パネルを設置し、パネルの内部に温水が流れることができる配管を配置して、床を施工する方法が提案された。
【０００６】
しかし、図１に示したようなパネルを用いて施工しても、大容量のボイラー及びポンプが必要で、エネルギーの損失が大きく、暖房が效率的でないという短所がある。
【０００７】
従って、従来の床暖房は、床全体を均一に加熱し、エネルギー效率を高めなければならないという課題を抱いている。
【０００８】
また、施工を最大限に簡便で、且つ容易にして、工事費用を節減しなければならないという課題を抱いている。
【発明の開示】
【発明が解決しようとする課題】
【０００９】
本発明は上記のような問題を解決するために、規格化されたパネルで施工を簡単にして、工事費用を節減することができながらも、床全体が均一に加熱されることができるようにすることを目的とする。
【００１０】
また、小容量のボイラーでも高いエネルギー效率を得ることができるようにして、暖房費用を節減させることができるようにすることを目的とする。
【課題を解決するための手段】
【００１１】
本発明の一実施例による床暖房用パネルは、四角形の平面を有する床暖房用パネルで、四角形の辺に沿って延長される複数の入出水管配置溝と；２つの入出水管配置溝を連結する分岐管配置溝と；何れか一つの入出水管配置溝と他の一つの入出水管配置溝が接触する部分に具備される角部とを含み、上記角部は、４つの角開口部を含むが、２つの角開口部は上記入出水管配置溝を向けて開口されるように形成され、他の２つの角開口部はパネルの外側を向けて開口されるように形成され、上記入出水管配置溝には２つの入出水管が平行に配置されることができる。
【００１２】
上記入出水管配置溝の中央で上部に突出されて、上記入出水管配置溝を長手方向に沿って延長される２つの領域に区画する中間壁をさらに含むことができる。
【００１３】
上記角部の中央には下部から上部に中央ピンが突出されることができる。
【００１４】
パネルの角の上下方向の中間の一部が切開されることができる。
【００１５】
本発明の一実施例による床暖房用パネルアセンブリーは、床スラブと、上記床スラブの辺縁に沿って延長される入出水管配置溝と、互いに反対方向に配置される２つの入出水管配置溝を連結する分岐管配置溝とを含む複数の床暖房用パネルと；上記入出水管配置溝に配置される入出水管と；上記分岐管配置溝に配置される分岐管とを含み、上記入出水管配置溝の一部には、２つの入出水管が平行に配置され、上記入出水管は、上記分岐管に連結され、上記入出水管が設置されたパネルに温水を流入させる流入入出水管と、上記分岐管に連結されて、上記入出水管が設置されたパネルから温水を排出する排出入出水管と、上記分岐管に連結されない伝達入出水管とを含み、上記伝達入出水管は、何れか一つの入出水管配置溝に上記流入入出水管または上記排出入出水管と平行に配置されることができる。
【００１６】
上記床暖房用パネルは、第１パネルと、第２パネルと、第３パネルと、第４パネルを含み、上記第１パネルには、外部から流入された温水が通過される第１入出水管と；外部から流入された温水を通過させて上記第３パネル側に供給する第２入出水管と；上記第１入出水管の対向側に配置されて温水を上記第２パネル側に供給する第３入出水管と；上記第１入出水管と上記第３入出水管を連結して、第１入出水管に流入される温水が第１パネルの内側を循環した後第３入出水管に供給されるようにする第１分岐管と；上記第２入出水管と平行に配置されて、温水を外部へ排出する第４入出水管とが配置され、上記第２パネルには、上記第１入出水管側から温水が供給される第５入出水管と；上記第５入出水管の反対側に設置される第６入出水管と；上記第５入出水管と第６入出水管とを連結して、上記第５入出水管に流入される温水が第２パネルの内側を循環した後上記第６入出水管に供給されるようにする第２分岐管とが配置され、上記第３パネルには、上記第２入出水管側から温水が供給される第７入出水管と；上記第７入出水管の反対側に配置される第８入出水管と；上記第７入出水管と上記第８入出水管とを連結して、上記第７入出水管に流入される温水が上記第３パネルを循環して上記第８入出水管に供給されるようにする第３分岐管と；上記第４入出水管側へ温水を排出する第９入出水管と；上記第８入出水管と平行に配置されて、上記第９入出水管に温水を排出する第１０入出水管とが配置され、上記第４パネルには、上記第７入出水管側から温水が供給される第１１入出水管と；上記第１１入出水管の対向側に配置されて、第８入出水管に連結される第１２入出水管と；上記第１１入出水管と上記第１２入出水管とを連結して、上記第１１入出水管に流入される温水が上記第４パネルを循環して上記第１２入出水管に供給されるようにする第４分岐管と；上記第６入出水管側から温水が流入される第１３入出水管と；上記第１２入出水管と上記第１３入出水管から温水が流入されて上記第１０入出水管側へ排出する第１４入出水管とが配置されることができる。
【００１７】
上記第１パネルと上記第２パネルとの間には、それぞれ上記第１入出水管と第５入出水管と、第３入出水管と第６入出水管との間に位置する２つの入出水管と、上記２つの入出水管の間を連結する１つの分岐管を有するパネルが一つ以上挿入されることができる。
【００１８】
上記第３パネルと上記第４パネルとの間には、それぞれ上記第７入出水管２０８と第１１入出水管２１２と、第８入出水管２０９と第１２入出水管２１３との間に位置する２つの入出水管と、上記２つの入出水管の間を連結する分岐管と、上記第１４入出水管２１５と第１０入出水管２１１との間に位置する入出水管とを具備するパネルが一つ以上挿入されることができる。
【００１９】
上記第１パネルと上記第３パネルとの間には、上記第２入出水管を通過した温水が供給される２つの入出水管と、上記２つの入出水管の中の何れか一つに一端が連結される分岐管と、上記分岐管の他端が連結される入出水管とが具備されるパネルが一つ以上挿入されることができる。
【発明の効果】
【００２０】
本発明によれば、規格化された複数のパネルを利用して床暖房が行われるようにすることによって、迅速且つ簡単に施工することができて、工事費用を節減することができる。
【００２１】
また、床全体が均一に加熱されることができ、暖房效果を極大化することができる。
【００２２】
また、温水が複数の分岐管を通じて速やかに循環することができながらも、それぞれの分岐管を通過する温水の移動距離が全部同じで、温水循環の不均衡が生じないので、小容量のボイラーでも暖房效果を極大化することができる。従って、エネルギー效率が向上されて、暖房費用を節減することができる。
【図面の簡単な説明】
【００２３】
【図１】従来の床暖房用パネルが設置された状態を概略的に示した図面である。
【図２】本発明の一実施例による床暖房用パネルを示した平面図である。
【図３】本発明の一実施例による床暖房用パネルの一部を示した斜視図である。
【図４】図３の角部を拡大して示した斜視図である。
【図５】本発明の一実施例による床暖房用パネルアセンブリーを概略的に示した平面図である。
【図６】本発明の他の実施例による床暖房用パネルアセンブリーを示した斜視図である。
【図７】本発明の一実施例による床暖房用パネルアセンブリーに用いられる「Ｔ」字状の連結部材を概略的に示した図面である。
【図８】本発明の一実施例による床暖房用パネルアセンブリーに用いられる「Ｌ」字状の連結部材を概略的に示した図面である。
【図９】本発明の一実施例による床暖房用パネルアセンブリーでパネルの間の結合構造を説明するための図面である。
【発明を実施するための最良の形態】
【００２４】
以下、添付図面を通じて本発明の一実施例による床暖房用パネル及びこれを含む床暖房用パネルアセンブリーについて説明する。
【００２５】
図２は本発明の一実施例による床暖房用パネル１００を示した平面図であり、図３は斜視図であり、図４は図３の角部１７０を拡大して示した図面である。
【００２６】
本実施例による床暖房用パネル１００は、上部で見ると、大体四角形の床スラブ１１０を含んでなり、上記床スラブ１１０の上部には配管配置溝１５０、１６０が形成される。
【００２７】
上記配管配置溝１５０、１６０は、入出水管配置溝１５０と、分岐管配置溝１６０とで構成され、上記床スラブ１１０に下方へ凹むように溝を形成して構成されることもでき、床スラブ１１０から上方に突出される一対の突出部を形成して、その突出部の間の空間が配管配置溝になるようにすることもでき、両方とも適用して構成されることもできる。
【００２８】
本実施例では、上記床スラブ１１０の上部に突出部を具備して、互いに平行に延長される一対の突出部の間の空間が配管配置溝１５０、１６０になるようにする。
【００２９】
より具体的に説明すれば、床スラブ１１０の辺縁には外壁１２０が上部に突出されて、四角形の床スラブ１１０の４つの辺に沿って延長され、上記外壁１２０と離隔して内側には内壁１３０が上記外壁１２０と平行に延長される。
【００３０】
上記外壁１２０と上記内壁１３０との間の空間は入出水管配置溝１５０を構成する。上記外壁１２０と内壁１３０との間には、中間壁１４０が上記外壁１２０及び上記内壁１３０と平行に延長される。従って、中間壁１４０を挟んで２つの入出水管が平行に配置されることができ、入出水管配置溝１５０は外側入出水管配置溝１５０ａと内側入出水管配置溝１５０ｂとに分けられる。
【００３１】
一方、上記外壁１２０と上記内壁１３０の両側端部には角部１７０が具備される。
【００３２】
上記角部１７０は４つの方向に開口される４つの角開口部１７１と、それぞれの角開口部１７１の間で略１／４円形に形成される曲面部１７２と、中央に位置する中央ピン１７３とを含む。ここで、上記角開口部１７１それぞれは中間壁１４０によって２つの領域に分けられる。
【００３３】
一方、上記４つの角開口部１７１の中で２つは上記入出水管配置溝１５０の端部に連結されて、上記入出水管配置溝１５０を向けて開口され、他の２つは上記外壁１２０の一部が切開されて、外側を向けて開口される。
【００３４】
一方、本実施例のように、床暖房用パネル１００が複数配置される場合、外側を向けて開口される角開口部１７１は隣接したパネルの角開口部１７１と互いに対応するように配置されて、隣接した２つのパネルの入出水管配置溝１５０が角部１７０を通じて互いに連通されることができる。
【００３５】
上記角部１７０の中央には中央ピン１７３が具備される。上記中央ピン１７３は交差する複数の入出水管が通過する経路を区画する機能をし、上部で角部に加えられる外力がある場合、このような外力が入出水管に伝達されないように遮断する機能を果たす。
【００３６】
一方、角部外側、即ちパネルの角の端部は、外側面が上下方向に所定の厚さだけ切開されて、結合切開部１８０を形成する。上記結合切開部１８０は所定の厚さを有する１／４円状に切開され、結合切開部１８０の上部にはネジ結合孔１９０が上下に穿孔されて形成される。
【００３７】
この結合切開部１８０及びネジ結合孔１９０は後述する結合補助部材６１０（図９参照）が挿入されて、何れか一つのパネルと隣接したパネルを結合し固定させる用途として用いられる。何れか一つのパネルと隣接したパネルの結合方法については、設置方法を説明する際に詳しく説明する。
【００３８】
一方、４つの上記入出水管配置溝１５０に囲まれた領域の内側には分岐管配置溝１６０が形成される。上記分岐管配置溝１６０は、床スラブ１１０の上部に突出される一対の突出部の間の空間で、直線に平行に延長される複数の直線部１６１と、上記直線部１６１の端部に結合される略「Ｕ」字状の曲線部１６２とを含む。上記直線部１６１には、上記曲線部１６２の「Ｕ」字状の両側端部の中の何れか一つが結合されることで、全体的に、略「Ｓ」字状の屈曲が繰り返し形成されるような形状を有する。
【００３９】
この時、上記入出水管配置溝１５０と分岐管配置溝１６０が接触する地点では内壁１３０が一部切開されて、連結切開部１３１を形成する。この時、一つのパネル１００には互いに対向する２つの入出水管配置溝１５０に上記連結切開部１３１がそれぞれ一つずつ形成され、上記  ２つの連結切開部１３１は対角線方向に角部１７０近くに形成される。
【００４０】
一方、上記直線部１６１と上記曲線部１６２は一つの部材で一体に構成されることができる。
【００４１】
上記のような構造を有するそれぞれのパネルを複数配置すれば、図５のような形態になる。図５には配置されたパネルの上部に配管を設置して形成された床暖房用パネルアセンブリーが示されている。
【００４２】
以下、図５を通じて、本発明による床暖房用パネルアセンブリーの一実施例を説明する。
【００４３】
図５に示した４つのパネルの中で、右側上端のパネルを第１パネル１００、左側上端のパネルを第２パネル１００ａ、右側下端のパネルを第３パネル１００ｂ、左側下端のパネルを第４  パネル１００ｃとする。
【００４４】
本実施例の説明において、入出水管配置溝に配置される入出水管は、流入入出水管、排出入出水管、伝達入出水管の３つの形態に区分される。外部の温水を内部に流入させて分岐管に伝達する通路となる入出水管を流入入出水管と言い、分岐管を循環した温水が排出される通路となる入出水管を排出入出水管と言い、分岐管に連結されないで温水を通過させる入出水管を伝達入出水管と言う。
【００４５】
まず、第１パネル１００には、４つの入出水管２０２、２０３、２０４、２０５と一つの分岐管３０１が配置される。
【００４６】
ボイラー（図示省略）などに連結される外部流入管２０１は第１パネルの角部１７０で、第１入出水管２０２及び第２入出水管２０３に連結される。この時、上記第１入出水管２０２は第１パネル１００を循環する温水が流入される流入入出水管で、第２入出水管２０３は温水を第３パネル１００ｂに伝達する伝達入出水管である。
【００４７】
一方、上記第１入出水管２０２の対向面には、第３入出水管２０４が配置される。上記第３  入出水管２０４は第１パネル１００を循環した温水を外側へ排出させる排出入出水管である。
【００４８】
この時、上記第１入出水管２０２、第２入出水管２０３及び第３入出水管２０４は内側入出水管配置溝１５０ａに配置される。
【００４９】
上記第４入出水管２０５は上記第２入出水管２０３と平行に一つの入出水管配置溝に配置される。従って、一つの入出水管配置溝１５０で、内側入出水管配置溝１５０ｂには第２入出水管２０３が、外側入出水管配置溝１５０ａには第４入出水管２０５が配置される。
【００５０】
上記第１入出水管２０２と上記第３入出水管２０３との間の分岐管配置溝１６０には、第１  分岐管３０１が配置される。
【００５１】
上記第１分岐管３０１は上記分岐管配置溝１６０の形状に合わせて、複数の直線部１６１と、上記直線部の端部に具備される略「Ｕ」字状の曲線部１６２とで構成され、一側端部は左側上端の角部の近くで第１入出水管２０２に結合され、他側端部はその対角線の反対方向で第３入出水管２０４に結合される。本実施例で上記分岐管１６２は、上記直線部１６１と上記曲線部１６２が一体に構成される柔軟に湾曲される一つのホースで形成される。
【００５２】
この時、入出水管２０２、２０３と分岐管は、「Ｔ」字状の連結部材４００によって結合される。上記「Ｔ」字状の連結部材４００は、図７に示したように、「Ｔ」字状に形成された中空の部材で、２つの入出水管と１つの分岐管を連結する用途として用いられ、外側端部には鋸歯状の固定部４０１が具備されて、結合された配管が抜けないで堅固に固定されることができるようにする。
【００５３】
一方、第２パネル１００ａには２つの入出水管２０６、２０７と一つの分岐管３０２とが配置される。
【００５４】
上方の入出水管配置溝には第５入出水管２０６が配置される。上記第５入出水管２０６は上記第１入出水管２０２に連結されて、第１入出水管２０２に流入された温水の中で第１分岐管３０１に排出されない残り温水が流入される流入入出水管である。
【００５５】
一方、上記第５入出水管２０６の反対側には第６入出水管２０７が配置され、上記第５入出水管２０６と上記第６入出水管２０７との間には第２分岐管３０２が配置される。それにより、上記第６入出水管２０７は上記第５入出水管２０６に流入された温水が第２分岐管３０２を通じてパネルの内部を循環した後外部へ排出される時に排出される通路の役割を果たす排出入出水管となる。
【００５６】
第３パネルには４つの入出水管２０８、２０９、２１０、２１１と一つの分岐管３０３が配置される。
【００５７】
第７入出水管２０８は、上記第２入出水管２０３に結合され、第３パネル１００ｂ上で上方の入出水管配置溝に配置される。上記第７入出水管２０８は、外部流入口２０１を通じて流入されて第２入出水管２０３を通過した温水を第３パネル１００ｂに流入させる流入入出水管となる。
【００５８】
上記第７入出水管２０８の反対側には第８入出水管２０９が配置され、上記第７入出水管２０８と上記第８入出水管２０９との間の分岐管配置溝１６０には、第３分岐管３０３が配置される。この時、上記第８入出水管２０９は排出入出水管となる。上記第７入出水管２０８及び上記第８入出水管２０９は何れも内側入出水管配置溝１５０ｂに配置される。
【００５９】
一方、上記第３パネル１００ｂ上で右側の入出水管配置溝には第９入出水管２１０が配置される。上記第９入出水管２１０は一端が上記第１パネル１００の上記第４入出水管２０５に連結される伝達入出水管で、外側入出水管配置溝１５０ａに配置される。
【００６０】
上記第９入出水管２１０の他端は第１０入出水管２１１に結合される。上記第１０入出水管２１１は上記第８入出水管２０９と平行に一つの入出水管配置溝１５０に配置される。この時、一つの入出水管配置溝１５０で上記第８入出水管２０９は内側入出水管配置溝１５０ｂに、上記第１０入出水管２１１は外側入出水管配置溝１５０ａに配置される。
【００６１】
この時、上記第９入出水管２１０と上記第１０入出水管２１１は伝達入出水管である。
【００６２】
一方、上記第４パネル１００ｃには、４つの入出水管２１２、２１３、２１４、２１５と一つの分岐管３０４とが配置される。
【００６３】
上方の入出水管配置溝に配置される流入入出水管である第１１入出水管２１２は、上記第３  パネル１００ｂの第７入出水管２０８に連結されて、第４パネル１００ｃを循環する温水を流入させる。上記第１１入出水管２１２の反対側には排出入出水管である第１２入出水管２１３が配置され、その間には第４分岐管３０４が配置される。
【００６４】
一方、上記第４パネル１００ｃの左側入出水管配置溝には、第１３入出水管２１４が配置され、上記第１２入出水管２１３が配置された入出水管配置溝には、上記第１２入出水管２１３と平行に第１４入出水管２１５が配置される。上記第１３入出水管２１４は一端が上記第２パネルの第６入出水管２０７に、他端が第１４入出水管２１５に連結される伝達入出水管であり、上記第１４入出水管は一端が上記第１３入出水管２１４に、他端が上記第３パネル１００ｂの第１０入出水管２１１に連結される伝達入出水管である。
【００６５】
上記のような床暖房用パネルアセンブリーの構成において、温水の円滑な循環のために、入出水管の内径は分岐管の内径より大きい。また、上記入出水管及び分岐管の断面が円形でない場合には、入出水管の内側の断面積が分岐管の断面積より大きい。
【００６６】
一方、隣接した２つのパネル上に位置して互いに連結される２つの入出水管は一体に形成されることもできる。例えば、上記第４入出水管２０５と上記第９入出水管２１０は一つの部材で一体に形成されることができる。この時、第４入出水管２０５と第９入出水管２１０の境界は、どのパネル上に位置するかによって決められる。即ち、第１パネル１００上に位置する部分は第４入出水管２０５になり、第３パネル１００ｂ上に位置する部分は第９入出水管２１０になる。
【００６７】
以下、上記のような構造を有する床暖房用パネルアセンブリーで、温水が循環される過程を説明する。
【００６８】
ボイラー（図示省略）などが作動することによって、外部流入管２０１を通じて、暖房を必要とする部屋、または居間などに温水が流入される。
【００６９】
外部流入管２０１を通じて第１パネル１００に流入された温水の一部は第１入出水管２０２に、残りは第２入出水管２０３に流入される。
【００７０】
この時、第１入出水管２０２に流入された温水の一部は第１分岐管３０１を循環した後第３入出水管２０３を通じて第１パネル１００の外部に排出され、第６入出水管２０７、第１３入出水管２１４、第１２入出水管２１３、第１０入出水管２１１、第９入出水管２１０、第４入出水管２０５を順次に経て部屋または居間の外部に排出される。
【００７１】
一方、第１入出水管２０２に流入された温水の中で第１分岐管３０１を通過しない残り温水は第５入出水管２０５に流入されて、第２分岐管３０２を通過して第２パネル１００ａを加熱した後、第６入出水管２０７を通じて上記第２パネル１００ａの外部に流出されて、第１３入出水管２１４、第１２入出水管２１３、第１０入出水管２１１、第９入出水管２１０、第４入出水管２０５を順次に経て部屋または居間の外部に排出される。
【００７２】
一方、外部流入管２０１を通じて上記第２入出水管２０３に流入された温水は第７入出水管２０８に流入され、流入された温水の一部は第３分岐管３０３を循環して第３パネル１００ｂを均一に加熱した後、第８入出水管２０９、第１２入出水管２１３、第１４入出水管２１５、第１０入出水管２１１、第９入出水管２１０、第４入出水管２０５を順次に経て部屋または居間の外部に排出される。
【００７３】
一方、第２入出水管２０３で流入されて第７入出水管２０８に流入された温水中、第３分岐管３０３を通過しない残り温水は第１１入出水管２１２に流入された後、第４分岐管３０４を循環して第４パネル１００ｃを均一に加熱した後、第１２入出水管２１３、第１４入出水管２１５、第１０入出水管２１１、第９入出水管２１０、第４入出水管２０５を順次に経て部屋または居間の外部に排出される。
【００７４】
上記のような構造を採択すれば、温水の移動経路が多元化されて、多くの領域を循環して、床全体を均一に加熱しながらも、循環速度が速やかになって、小容量のボイラーでも高エネルギー效率の暖房が可能になる。特に、それぞれの分岐管を循環する温水の移動距離が同一で、温水の流れが滞積されたり遅くなる区間が発生しないので、低容量のボイラーで高い效率の暖房が可能になる。
【００７５】
これは、第１分岐管３０１、第２分岐管３０２、第３分岐管３０３、第４分岐管３０４を通過する温水の移動距離が同じであることを通じて容易に理解されることができる。
【００７６】
一方、３つの管が接触する場合には、前述した図７に示したような「Ｔ」字状の連結部材４００が用いられるが、２つの管が直角に結合される場合には、図８に示したような「Ｌ」字状の連結部材５００が用いられることができる。上記「Ｌ」字状の部材の外側にも鋸歯状の固定部５０１が形成される。
【００７７】
一方、図５に示したような床暖房用パネルアセンブリーは、図６に示したように拡張可能である。
【００７８】
即ち、上記第１パネル１００と上記第２パネル１００ａと、そして上記第３パネル１００ｂと上記第４パネルとの間に横方向に１つ以上のパネルが設置されることができる。
【００７９】
また、上記第１パネル１００と上記第３パネル１００ｂと、そして上記第２パネル１００ａと上記第４パネル１００ｃとの間にも縦方向に１つ以上のパネルが設置されることができる。
【００８０】
第１パネル１００と第２パネル１００ａとの間に配置されるパネルには流入入出水管である第１５入出水管２１６と第５分岐管３０５と排出入出水管である第１６入出水管２１７とが設置されて、第１パネル１００から流入入出水管である第１５入出水管２１６に流入された温水が第５分岐管３０６を循環した後排出入出水管である第１６入出水管２１７を通じて第２パネル１００ａの方へ排出される。この時、流入入出水管である第１５入出水管２１６は一端が上記第１パネル１００の第１入出水管２０２に結合され、他端が上記第２パネル１００ａの第５入出水管２０６に結合され、排出入出水管である第１６入出水管２１７は一端が上記第１パネル１００の第３入出水管２０４に結合され、他端が上記第２パネルの第６入出水管２０７に結合される。
【００８１】
また、第３パネル１００ｂと第４パネル１００ｃとの間に配置されるパネルには、一つの流入入出水管２１８、分岐管３０６、排出入出水管２１９、及び伝達入出水管２２０が設置されて、第３パネル１００ｂから流入入出水管である第１７入出水管２１８に流入された温水が第６分岐管３０６を循環した後、排出入出水管である第１８入出水管２１９を通じて第４パネル１００ｃ側へ排出される。
【００８２】
第４パネル１００ｃの伝達入出水管である第１４入出水管２１５を通じて伝達される温水は伝達入出水管である第１９入出水管２２０を通じて第３パネル１００ｂの伝達入出水管である第１０入出水管２１１に伝達される。
【００８３】
この時、流入入出水管である第１７入出水管２１８は一端が上記第３パネル１００ｂの第７入出水管２０８に結合され、他端が上記第４パネル１００ｃの第１１入出水管２１２に結合され、排出入出水管である第１８入出水管２１９は一端が上記第３パネルの第８入出水管２０９に結合され、他端が上記第４パネル１００ｃの第１２入出水管２１３に結合され、伝達入出水管である第１９入出水管２２０は一端が上記第４パネル１００ｃの第１４入出水管２１４に結合され、他端が上記第１０入出水管２１１に結合される。
【００８４】
従って、上記のような方法で、図５の基本構造から横方向にパネルの配置構造を拡張することができる。
【００８５】
一方、図５のパネルアセンブリーを、縦方向に拡張する場合、上記第１パネル１００と上記第３パネル１００ｂとの間に配置されるパネルには、４つの入出水管と一つの分岐管とが配置され、配管の基本的な配置構造は第１パネルと同じである。
【００８６】
また、上記第２パネル１００ａと上記第４パネル１００ｃとの間に配置されるパネルには、３つの入出水管と一つの分岐管とが配置され、第４パネルで伝達入出水管である第１４入出水管２１４を除去すると、同じ配管配置構造になる。
【００８７】
従って、上記のような構造で、図５の配管配置構造に加えて、第１パネルと第３パネルとの間、そして第２パネルと第４パネルとの間に一つ以上のパネルを配置することが可能である。
【００８８】
即ち、図５の床暖房用パネルアセンブリーは、横縦方向に拡張可能であり、拡張されても、それぞれの分岐管を通過する温水の移動距離が全部同じであるので、本発明を通じて達成される優れた效果が持続的に維持されることができる。
【００８９】
以下、上記のような構造を有する床暖房用パネル及びこれを利用した床暖房用パネルアセンブリーの設置方法を説明する。
【００９０】
施工者は、床に本発明による床暖房用パネルを複数配置する。その後、何れか一つのパネルと隣接したパネルを結合させる。この時、パネルの間の結合は図９に示した結合補助部材６１０を利用して行う。
【００９１】
結合補助部材６１０は、図９に示したような円形平面に所定厚さを有する部材で形成される。
【００９２】
上記結合補助部材６１０は、上記パネルの結合切開部１８０とほぼ同じ厚さを有する円形を有し、弾性を有するゴムなどの材質で形成される。
【００９３】
従って、図９に示したように、４つのパネルを結合させる場合、４つのパネルの角に形成された結合切開部１８０に円板形結合補助部材６１０を挿入した後、パネルの角部分の上部に穿孔されたネジ結合孔１９０にねじを挿入させて、ねじが結合補助部材６１０を貫通するようにする。このような過程を通じて、隣接した４つのパネルが堅固に固定される。
【００９４】
一方、２つのパネルを結合させる場合には、半円形の平面形状に所定厚さを有する結合補助部材を用いて、隣接した２つのパネルを堅固に固定させることができる。
【００９５】
上記のような方法で、床に配置された複数のパネルを結合した後に配管を設置する。入出水管と入出水管、入出水管と分岐管を互いに連結し、それぞれの配管の連結は、図７及び図８に示したような連結補助部材を利用して行う。
【００９６】
この時、角部の中央で上部に突出された中央ピン１７３は、それぞれの配管が通過する経路を区画する機能をする。
【００９７】
一方、床に配置されたパネル上に入出水管と分岐管とを含む配管を設置した後には、内壁の内側に黄土やモルタルなどの蓄熱部材を注入して乾燥させる。
【００９８】
その後、上記パネルの上部にカバーを覆って固定させる。上記カバーは上面が偏平な板状の部材で形成される。上記カバーの上にはオンドル紙などを敷いて用いることができ、施工地域の特性によって、断熱材を追加設置することもできる。
【００９９】
一方、本発明の説明において、何れか一つの配管と異なる一つの配管が連結されると言うのは、２つの配管が直接連結される場合と、２つの配管が他の配管または他の部材を通じて連結される場合を含む。
【０１００】
また、上記配管は、入出水管と分岐管とを含む用語で、ゴムや合成樹脂などの柔軟な素材からなるホース、パイプなどを含む概念に解釈すべきである。
【図１】
2015520348.tif 000003
【図２】
2015520348.tif 000004
【図３】
2015520348.tif 000005
【図４】
2015520348.tif 000006
【図５】
2015520348.tif 000007
【図６】
2015520348.tif 000008
【図７】
2015520348.tif 000009
【図８】
2015520348.tif 000010
【図９】
2015520348.tif 000011
【国際調査報告】
2015520348.tif 000012
2015520348.tif 000013
2015520348.tif 000014
2015520348.tif 000015